(57)【要約】　　　（修正有）【課題】アンダーシャツの袖口やズボン下の裾口を拡げることができ、容易に捲くり上げることができ医院や病院での診断、治療時に着用すると便利になる肌着の提供。【解決手段】アンダーシャツ本体１の袖口３、またはズボン下本体１１の裾口１３に適宜長さの切り込み４、１４を設ける。その切り込み４、１４に係止具５、１５を取り付ける。【選択図】　　　　図２
0003098977.tif 000002
【実用新案登録請求の範囲】
【請求項１】
肌着の袖口または裾口に適宜長さの切り込みを設け、その切り込みに係止具を取り付けてなる肌着。
【請求項２】
袖口または裾口の端部を折り返して環状袋部を形成し、その内部にゴム紐を収容してある請求項１に記載の肌着。
【請求項３】
係止具はスライドファスナー、面ファスナー、スナップボタンである請求項１、２、３のいずれか一に記載の肌着。
【考案の詳細な説明】
【０００１】
【考案の属する技術分野】
本考案は、医院や病院などで診断、治療を受ける時に着用しておけば便利な肌着に関するものである。
【０００２】
【従来の技術】
従来から、長袖のアンダーシャツの袖口やズボン下の裾口は、着用者の手や足に確実にフイットするようにゴム編に編成されており、その袖口および裾口をすぼませて形成してある。（例えば、特許文献１、２）
【０００３】
【特許文献１】
実公昭５−１０１２４号公報（第１頁、第１図）
【特許文献２】
実公昭８−４３４２号公報（第１頁、第１図）
【０００４】
【考案が解決しようとする課題】
例えば、医院や病院などで血圧測定、血液検査のための採血あるいは怪我や病気の治療のための注射、点滴などを受ける時には、腕を露出させる必要があり、アンダーシャツの袖口を上方に捲くり上げなければならない。また、膝痛や関節痛の治療には電気治療、鍼治療などが行われるが、その時には、脚を露出する必要があり、ズボン下の裾口を上方に捲くり上げなければならない。
【０００５】
しかしながら、上記特許文献１および２のアンダーシャツの袖口はすぼませてあるから、捲くり上げるのがスムーズに行かなかった。特に、注射や点滴をする場合は、腕の付け根部まで捲り上げなければならず、幼児や老人など力の弱い人の場合には、一人で捲くり上げることができず付き添いの人や看護士などの手を借りて行っている。
【０００６】
また、捲くり上げる時に、すぼませた袖口や裾口が手首や足首よりも太い腕や脚の部分を通り越して捲り上げなければならず、肌との摺接が強くなって痛みが生じると言う問題点があった。また、捲くり上げた後は、ずり下がることがあるので、治療が終わるまで手で押さえておかなければならない煩わしさがあった。
【０００７】
本考案は、上記の問題を解決することを課題として開発されたもので、アンダーシャツの袖口やズボン下の裾口を容易に捲くり上げることができる診断、治療時に着用すると便利な肌着を提供することを目的とするものである。
【０００８】
【課題を解決するための手段】
上記の課題を解決し、その目的を達成する手段として、本考案では、肌着の袖口または裾口に適宜長さの切り込みを設け、その切り込みに係止具を取り付けてなる肌着を開発し、採用した。
【０００９】
また、上記のように構成した肌着において、袖口または裾口の端部を折り返して環状袋部を形成し、その内部にゴム紐を収容してある肌着、および係止具はスライドファスナー、面ファスナー、スナップボタンである肌着を開発し、採用した。
【００１０】
【考案の実施の形態】
以下に、本考案の実施の形態を添付図面に基づいて説明すると、図１〜図４は本考案の第１実施の形態を示すもので、１はアンダーシャツ本体であり、袖２が長袖に形成されており、袖口３の内側中心部から袖２の長さ方向に適宜長さの切り込み４を入れてあり、その切り込み４の両側端部にスライドファスナー５の噛合片付きテープ５ａ、５ａが取り付けられている。６はスライダーであり、上下動することによりファスナー５の開閉ができるようになっている。
【００１１】
７は袖口３の端部を内面側に折り返して形成した環状袋部で、その袋部７にゴム紐８を収容してあり、捲り上げた時に、袖口３が腕部からずり落ちずにその状態を保持できるようになっている。
【００１２】
このように構成したアンダーシャツ本体１は、平常は袖口３のスライドファスナー５を閉じた状態で着用する。そして、病院などで血圧測定や注射を受ける時に、スライダー６を上げていけばスライドファスナー５が開き袖口３が開口して広がるので上方に捲くり上げるのが簡単になる。
【００１３】
この時、スライドファスナー５が内側中心部に取り付けられていることから、スライドファスナー５の開閉操作が容易になると共に、外部からあまり目立つことがないので外観の体裁が良い。
【００１４】
また、袖口３の端部の環状袋部７にゴム紐８を周設してあるから、袖口３を腕部の上方に捲り上げた時に、袖口３が腕部からずり落ちずにその状態を保持することができる。
【００１５】
図５に示すのは、別の係止具の例を示すもので、スライドファスナー５に代えて面ファスナー５ｂ，５ｂを取り付けたものであり、他の点はすべて前記の実施の形態と同じであり、同一部分には同一符号を付してある。
【００１６】
この面ファスナー５ｂ，５ｂの場合は、スライドファスナー５のように、開閉操作が複雑でなく、かつ開閉の途中で噛合片５が引っかかって開閉できないような憂いはなく、手の不自由な者でもワンタッチで開閉できる便利さがある。
【００１７】
さらに、図６に示すのは別の係止具の例を示すもので、袖口３の切り込み４に合成樹脂製または金属製のスナップボタン５ｃ，５ｃを取り付けたものであり、他の点はすべて前記の実施の形態と同じであり、同一部分には同一符号を付してある。
【００１８】
スナップボタン５ｃ，５ｃの場合には、引っ張り方向に力がかかると外れやすいが、面ファスナー５ｂ，５ｂのように剥がす時に大きな力を必要とせず簡単に開閉操作が可能になる。
【００１９】
つぎに、図７〜図１０に示すのは本考案の第２実施の形態を示すもので、上記第１実施の形態では、アンダーシャツ本体１の袖口３に係止具５を取り付けたものであったが、この実施の形態では、ズボン下本体１１の裾口１３に係止具１５を設けたものである。
【００２０】
すなわち、ズボン下本体１１は裾口１３が足首近くまである長さのものであり、その裾口１３の内側中心部から裾１２の長さ方向に適宜長さの切り込み１４を入れてあり、その切り込み１４の両端部にスライドファスナー１５の噛合片付きテープ片１５ａ，１５ａが取り付けられている。１６はスライダーであり、上下動することによりファスナー１５の開閉ができるようになっている。
【００２１】
１７は裾口１３の端部を内面に折り返して形成した環状袋部で、その袋部１７にゴム紐１８を収容してあり、捲り上げた時に、裾口１３が腕部からずり落ちずにその状態を保持できるようになっている点は前記実施の形態１と同様である。
【００２２】
このように構成したズボン下本体１１は、平常は裾口１３のスライドファスナー１５を閉じた状態で着用する。そして、病院などで診察や治療のために脚部を露出しなければならない時に、スライダー１６を上げていけばスライドファスナー１５を開き裾口１３が広がるので捲くり上げるのが簡単になる。
【００２３】
この時、スライドファスナー１５が内側部に取り付けられていることから、開閉操作が容易になると共に、外部からあまり目立つことがないので外観の体裁を悪くすることがない点、裾口１３の端部にゴム１８紐を周設してあるから、治療を受けるときに裾口１３を上方に捲り上げた時に、裾口１３が脚部からずり落ちずにその状態を保持することができる点などは前記実施の形態１と同じである。
【００２４】
なお、この第２実施の形態においても、当然前記実施の形態１と同様にスライドファスナー１５に代えて面ファスナー、スナップボタンを使用することもある。
【００２５】
以上、本考案の主要な実施の形態について説明したが、本考案はこれらの実施の形態に限定されるものではなく、例えば、係止具として釦を用いることもあり、考案の目的を達成でき、かつ発明の要旨を逸脱しない範囲内で種々の設計変更が可能であることは言うまでもない。
【００２６】
【考案の効果】
以上のように、本考案の請求項１の肌着は、袖口または裾口に適宜長さの切り込みを設け、その切り込みに係止具を取り付けてなる肌着にかかるものであるから、診察、治療時などにおいて袖口や裾口を捲り上げなければならない時に、容易にかつスムーズに捲り上げる事ができる。
【００２７】
また、本考案の請求項２の肌着は、袖口または裾口を捲り上げた時に、袖口または裾口ゴム紐によって腕部あるいは脚部からずり落ちることがなく、その状態を保持することができる。
【図面の簡単な説明】
【図１】本考案の第１の実施形態を示すアンダーシャツの正面図である。
【図２】係止具を開いた袖部の内側面図である。
【図３】係止具を閉じた袖部の内側面図である。
【図４】袖口短部の拡大断面図である。
【図５】係止具を面ファスナーにした状態の側面図である。
【図６】係止具をスナップボタンにした状態の側面図である。
【図７】本考案の第２の実施形態を示すズボン下の正面図である。
【図８】係止具を開いた裾部の内側面図である。
【図９】係止具を閉じた裾部の内側面図である。
【図１０】裾口端部の拡大断面図である。
【符号の説明】
１　　肌着
３　　袖口
４　　切り込み
５　　係止具
７　　環状袋部
８　　ゴム紐
１１　肌着
１３　裾口
１４　切り込み
１５　係止具
１７　環状袋部
１８　ゴム紐
【図１】
0003098977.tif 000003
【図２】
0003098977.tif 000004
【図３】
0003098977.tif 000005
【図４】
0003098977.tif 000006
【図５】
0003098977.tif 000007
【図６】
0003098977.tif 000008
【図７】
0003098977.tif 000009
【図８】
0003098977.tif 000010
【図９】
0003098977.tif 000011
【図１０】
0003098977.tif 000012